(57)【要約】      （修正有）【課題】撮影時に画像データに付加された被写体の属性情報が撮影時と閲覧時との時間的又は空間的隔たりによって変化する場合に、閲覧時に属性情報を変化させて提示する。【解決手段】情報変換装置２００は、画像に付加された属性情報を抽出する、抽出手段２２０と、閲覧者を示す閲覧者情報を取得する取得手段２３０と、属性情報に対応する被写体と閲覧者情報に対応する閲覧者との関係を示すデータベースを用いて被写体と閲覧者との関係を判定する判定手段２４０と、判定された関係に基づいて属性情報を変換する変換手段２５０と、を備える。【選択図】図６
2018160176.tif 000002
【特許請求の範囲】
【請求項１】
画像に付加された属性情報を抽出する抽出手段と、
閲覧者を示す閲覧者情報を取得する取得手段と、
前記属性情報に対応する被写体と前記閲覧者情報に対応する前記閲覧者との関係を示すデータベースを用いて前記被写体と前記閲覧者との関係を判定する判定手段と、
判定された前記関係に基づいて前記属性情報を変換する変換手段と
を備える情報変換装置。
【請求項２】
前記閲覧者情報の入力を受け付ける受付手段を備え、
前記取得手段は、受け付けられた前記閲覧者情報を取得する
請求項１に記載の情報変換装置。
【請求項３】
撮像手段を備え、
前記抽出手段は、前記撮像手段によって撮像された画像の解析により前記属性情報を抽出する
請求項１又は２に記載の情報変換装置。
【請求項４】
前記変換手段により変換された前記属性情報と前記画像とを表示する表示手段を備える
請求項１乃至３のいずれか１項に記載の情報変換装置。
【請求項５】
コンピュータを、
画像に付加された属性情報を抽出する抽出手段と、
閲覧者を示す閲覧者情報を取得する取得手段と、
前記属性情報に対応する被写体と前記閲覧者情報に対応する前記閲覧者との関係を示すデータベースを用いて前記被写体と前記閲覧者との関係を判定する判定手段と、
判定された前記関係に基づいて前記属性情報を変換する変換手段
として機能させるためのプログラム。
【発明の詳細な説明】
【技術分野】
【０００１】
本発明は、情報変換装置及びプログラムに関する。
【背景技術】
【０００２】
特許文献１では、利用者の端末において、設置型画像取込印刷装置で印刷された画像から情報を取り出す技術が開示されている。この技術においては、設置型画像取込印刷装置において、画像を取り込み、当該画像を埋め込む情報を入力し、取り込んだ画像に、入力された埋め込む情報を電子透かしとして埋め込み、印刷して配布し、参照用利用者端末において、情報が埋め込まれた画像を取り込み、電子透かしで埋め込まれた情報を読み出し、表示する。
【０００３】
特許文献２では、印刷内容と別の情報を秘匿して印刷物を作成する技術が開示されている。この技術においては、メッセージ入力手段、画像入力手段、印刷手段を具備した印刷装置と、透かし埋め込み手段を具備した透かし埋め込み装置と、透かし検出手段を具備した透かし検出装置とがネットワークに接続されている。印刷装置は、メッセージ送信者から、印刷対象となる画像とその画像に秘匿したい情報とを受け付けて、前記情報と前記画像を透かし埋め込み装置に送り、透かし埋め込み装置が前記情報を画像に埋め込んだ透かし入り画像を作成し、作成した透かし入り画像を印刷装置に送り、印刷装置が透かし入り画像を印刷し、メッセージ受信者が、透かし入り画像を携帯端末によって撮影し、撮影した画像を携帯端末から透かし検出装置に送り、透かし検出装置が埋め込まれた情報を検出して、メッセージ受信者に返信する。
【０００４】
特許文献３では、電子透かし処理等の対象情報の著作権保護等のための所定情報を当該対象情報に対して埋め込む技術が開示されている。この技術においては、記録手段が、ユーザからの撮影操作に基づいて生成された対象情報（撮影画像）に対して、対象情報の著作権保護のための所定情報を記録するにあたり、撮影時にユーザ（撮影者）の生体情報を取得し、当該ユーザの生体情報が予め登録されている場合に、当該登録時に生体情報に関連付けられた該当するユーザ情報を所定情報として対象情報に記録する。
【先行技術文献】
【特許文献】
【０００５】
【特許文献１】特開２００４−３５７１４９号公報
【特許文献２】特開２００５−１５９５０２号公報
【特許文献３】特開２００３−２０４４２７号公報
【発明の概要】
【発明が解決しようとする課題】
【０００６】
写真に写っている人物が誰であるのかを閲覧者に知らせるために、手書きや電子的な手段を用いて被写体の名前などの属性情報を写真に付加することが考えられる。しかし、名前だけでは被写体と閲覧者との関係が判別できない場合がある。例えば、撮影されてから長い年月が経った親族の写真を見たときに、被写体の続柄がわからない、あるいは、疎遠な親族や面識のない親族の写真を見たときに、被写体の続柄がわからない、などのケースが考えられる。
【０００７】
そこで、本発明は、撮影時に画像データに付加された被写体の属性情報が撮影時と閲覧時との時間的又は空間的隔たりによって変化し得る場合に、閲覧時に属性情報を変化させて提示することを目的とする。
【課題を解決するための手段】
【０００８】
請求項１に係る発明は、画像に付加された属性情報を抽出する抽出手段と、閲覧者を示す閲覧者情報を取得する取得手段と、前記属性情報に対応する被写体と前記閲覧者情報に対応する前記閲覧者との関係を示すデータベースを用いて前記被写体と前記閲覧者との関係を判定する判定手段と、判定された前記関係に基づいて前記属性情報を変換する変換手段とを備える情報変換装置を提供する。
請求項２に係る発明は、請求項１に記載の情報変換装置において、前記閲覧者情報の入力を受け付ける受付手段を備え、前記取得手段は、受け付けられた前記閲覧者情報を取得する。
請求項３に係る発明は、請求項１又は２に記載の情報変換装置において、撮像手段を備え、前記抽出手段は、前記撮像手段によって撮像された画像の解析により前記属性情報を抽出する。
請求項４に係る発明は、請求項１乃至３のいずれか１項に記載の情報変換装置において、前記変換手段により変換された前記属性情報と前記画像とを表示する表示手段を備える。
請求項５に係る発明は、コンピュータを、画像に付加された属性情報を抽出する抽出手段と、閲覧者を示す閲覧者情報を取得する取得手段と、前記属性情報に対応する被写体と前記閲覧者情報に対応する前記閲覧者との関係を示すデータベースを用いて前記被写体と前記閲覧者との関係を判定する判定手段と、判定された前記関係に基づいて前記属性情報を変換する変換手段として機能させるためのプログラムを提供する。
【発明の効果】
【０００９】
請求項１、５に係る発明によれば、撮影時に画像データに付加された被写体の属性情報が撮影時と閲覧時との時間的又は空間的隔たりによって変化し得る場合に、閲覧時に属性情報を変化させて提示することができる。
請求項２に係る発明によれば、複数の閲覧者の各々に応じて属性情報を変化させることができる。
請求項３に係る発明によれば、印刷物や写真から属性情報を抽出することができる。
請求項４に係る発明によれば、変換された属性情報と画像を手軽に閲覧することができる。
【図面の簡単な説明】
【００１０】
【図１】印刷装置１０のハードウェア構成を示す図。
【図２】情報付加装置１００の機能構成を示す図。
【図３】情報付加処理の流れ図。
【図４】画像の例を示す図。
【図５】閲覧装置２０のハードウェア構成を示す図。
【図６】情報変換装置２００の機能構成を示す図。
【図７】情報変換処理の流れ図。
【図８】被写体である人物の家系図。
【図９】属性情報を配置した画像を示す図。
【発明を実施するための形態】
【００１１】
［実施形態］
本発明を実施するための形態の一例について説明する。
【００１２】
［印刷装置、情報付加装置］
図１は、印刷装置１０のハードウェア構成を示す図である。印刷装置１０は、制御部１１、記憶部１２、通信部１３、表示部１４、操作部１５、読取部１６、印刷部１７、入出力部１８を備える。記憶部１２は、ハードディスクドライブやメモリなどの記憶装置であり、プログラムやデータを記憶する。制御部１１は、プロセッサと、演算のワークエリアとして用いられるメモリを備え、記憶部１２に記憶されたプログラムに従う処理を実行する。通信部１３は、印刷装置１０と外部の装置との通信インターフェイスであり、例えば、有線ＬＡＮ（Local Area Network）のインターフェイスを備える。
【００１３】
表示部１４は、液晶表示パネルなどの表示装置を備え、印刷装置１０を操作するためのウィジェットが配置されたＧＵＩ（Graphical User Interface）の画面を表示する。操作部１５は、ポインティングデバイスとハードウェアキーを備え、ＧＵＩに対する操作を受け付ける。ポインティングデバイスは、例えば、表示部１４の表示面を覆うタッチパネルである。ハードウェアキーは、画面の切換え、数値の入力、処理の開始・停止などの操作を受け付ける。表示部１４と操作部１５は、印刷装置１０と分離された装置として構成されてもよい。
【００１４】
読取部１６は、例えばイメージスキャナであり、シート状の記録媒体から光学的に画像を読み取る。印刷部１７は、例えば電子写真方式やインクジェット方式などのプリンタであり、シート状の記録媒体に画像を形成する。入出力部１８は、周辺機器を接続する入出力インターフェイスである。周辺機器は、例えば、フラッシュメモリやハードディスクドライブなどの記憶装置である。
【００１５】
印刷装置１０は、本発明に係る情報付加装置１００の機能を備える。
図２は、情報付加装置１００の機能構成を示す図である。
【００１６】
抽出手段１１０は、画像から被写体を抽出する。画像データは、様々な手段で印刷装置１０に入力され得る。例えば、デジタルスチールカメラで撮影した写真を表す画像データをフラッシュメモリなどの記憶媒体から入力する、あるいは、写真を表す画像データをネットワーク経由で受信する、あるいは、印画紙に形成した写真や紙に印刷した写真などを読取部１６で読み取って画像データを生成するなどの手段が想定される。制御部１１は、画像データが表す画像に顔認識の画像処理を施して人物を抽出する。この場合、被写体は人物である。また、記憶部１２には、種々の物体の形状を表す形状データが予め登録されており、制御部１１は、登録された形状データに合致する物体を画像から抽出する。この場合、被写体は物体である。
【００１７】
表示手段１２０は、被写体を表示部１４に表示させる。具体的には、制御部１１が、被写体の視認性が向上するように加工した画像を表示部１４に表示させる。例えば、被写体を囲う線を加えた画像を表示させてもよく、被写体以外の領域を決められた１色の背景に置き換えた画像を表示させてもよい。なお、表示手段１２０は、被写体を含む画像を表示させてもよい。
【００１８】
受付手段１３０は、属性情報の入力を受け付ける。属性情報とは、写真の被写体の属性を示す情報である。例えば、被写体が人物である場合、人物の氏名、所属、学籍番号などが属性情報に含まれる。被写体が物体である場合、物体の名称、物体に関連する人物の氏名などが属性情報に含まれる。受付手段１３０は、例えば、表示部１４に表示されるソフトウェアキーボードと、操作部１５に備えられたタッチパネルとで実現され、タッチパネルの操作により属性情報が入力される。換言すれば、属性情報は被写体を特定したり説明したりする情報ということになる。
【００１９】
付加手段１４０は、入力された画像に属性情報を付加する。具体的には、制御部１１が、属性情報を示す電子透かしを被写体の位置と関連付けて画像に付加する。例えば、画像の領域内の属性情報を付加する位置がタッチパネルの操作により指定される。制御部１１は、属性情報を符号化した電子透かしを生成し、指定された位置に電子透かしを埋め込む処理を画像データに施し、処理された画像データを印刷部１７に出力する。印刷部１７は、属性情報が付加された画像を印刷する。
【００２０】
図３は、情報付加処理の流れ図である。印刷装置１０には、情報付加処理の手順を記述したプログラムがインストールされており、制御部１１がこのプログラムを実行することにより情報付加装置１００の各機能が実現され、情報付加処理が実行される。
【００２１】
図４は、画像の例を示す図である。（ａ）は、人物と物体を含む写真である。この物体は、例えばこの人物が製品化に関与した電子機器である。印刷装置１０を使用するユーザとして想定されるのは、この写真の被写体である人物の属性情報を知り得る者、例えば、被写体である人物自身、この人物の親族や知人、この写真を撮影した撮影者などである。
【００２２】
最初に、抽出手段１１０に画像データが入力される（ステップＳ１０１）。具体的には、ユーザは、図４（ａ）に示す写真を読取部１６に読み取らせる。読取部１６は、読み取った画像を表す画像データを生成する。
【００２３】
次に、抽出手段１１０が被写体を抽出する処理を実行する（ステップＳ１０２）。この例では、顔認識により、図４（ａ）に示す人物が抽出される。また、形状の認識により、図４（ａ）に示す物体が抽出される。
【００２４】
抽出手段１１０により被写体が抽出されたならば（ステップＳ１０３：ＹＥＳ）、表示手段１２０が、被写体の視認性が向上するように加工した画像を表示させ、受付手段１３０が、属性情報の入力を受け付ける（ステップＳ１０４）。具体的には、図４（ｂ）に示すように、被写体を囲う線と、「説明を入力してください」というテキストを含む吹出しが、被写体の各々に対応する位置に表示される。ユーザがタッチパネル機能を用いて吹出しにタッチすると、ソフトウェアキーボードが表示され、ユーザがソフトウェアキーボードを用いて文字を入力する。この例では、人物の属性情報として人物の氏名「富士太郎」が入力され、物体の属性情報として「富士太郎が作ったＸＸＸ」というテキストが入力されている。抽出手段１１０により被写体が抽出されなかった場合（ステップＳ１０３：ＮＯ）には、ステップＳ１０６の処理に進む。
【００２５】
次に、付加手段１４０が、属性情報を示す電子透かしを生成し、電子透かしを画像に埋め込む（ステップＳ１０５）。電子透かしを埋め込む位置は、各々の被写体に対応する位置である。
【００２６】
次に、受付手段１３０が、画像の説明の入力を受け付ける（ステップＳ１０６）。画像の説明とは、画像全体に対する説明でもよく、被写体に関する説明でもよい。この例では、「製品発表パーティー」というテキストが入力される。
【００２７】
次に、付加手段１４０が、画像の説明を示す電子透かしを生成し、電子透かしを画像に埋め込む（ステップＳ１０７）。電子透かしを埋め込む位置は、属性情報の電子透かしと重ならない位置であることが望ましい。付加手段１４０は、電子透かしの埋め込まれた画像を表す画像データを印刷部１７に出力する。その結果、図４（ｃ）に示すように、電子透かしが埋め込まれた画像が印刷される（ステップＳ１０８）。この例では、人物に対応する位置に人物の属性情報の電子透かしが埋め込まれ、物体に対応する位置に物体の属性情報が埋め込まれ、画像の下部に画像の説明の電子透かしが埋め込まれている。この図では、説明の都合上、電子透かしを視覚化しているが、実際には、人間の目では知覚されない。
【００２８】
［閲覧装置、情報変換装置］
図５は、閲覧装置２０のハードウェア構成を示す図である。閲覧装置２０は、例えば、スマートフォン、タブレット、ノート型のパーソナルコンピュータなどである。閲覧装置２０は、制御部２１、記憶部２２、通信部２３、表示部２４、操作部２５、撮像部２６を備える。記憶部２２は、メモリなどの記憶装置であり、プログラムやデータを記憶する。制御部２１は、プロセッサと、演算のワークエリアとして用いられるメモリを備え、記憶部２２に記憶されたプログラムに従う処理を実行する。通信部２３は、閲覧装置２０と外部の装置との通信インターフェイスであり、例えば、無線ＬＡＮのインターフェイスを備える。
【００２９】
表示部２４は、液晶表示パネルなどの表示装置を備え、閲覧装置２０を操作するためのウィジェットが配置されたＧＵＩの画面を表示する。操作部２５は、ポインティングデバイスとハードウェアキーを備え、ＧＵＩに対する操作を受け付ける。ポインティングデバイスは、例えば、表示部１４の表示面を覆うタッチパネルである。ハードウェアキーは、画面の切換えなどの操作を受け付ける。撮像部２６は、例えばデジタルスチールカメラであり、撮像した画像を表す画像データを生成する。生成された画像データは記憶部２２に記憶される。
【００３０】
（請求項１、３、４）
閲覧装置２０は、本発明に係る情報変換装置２００の機能を備える。
図６は、情報変換装置２００の機能構成を示す図である。
【００３１】
撮像手段２１０は、撮像部２６によって実現される。撮像部２６は、印刷装置１０で印刷された印刷物を撮像し、印刷物の画像を表す画像データを生成する。
【００３２】
抽出手段２２０は、画像に付加された属性情報を抽出する。具体的には、制御部２１が、撮像部２６によって撮像された画像の解析により属性情報を抽出する。より具体的には、制御部２１が、撮像部２６で生成された画像データを解析して電子透かしを抽出し、抽出した電子透かしを復号して属性情報を復元する。例えば、属性情報として被写体の氏名が抽出される。
【００３３】
取得手段２３０は、閲覧者を示す閲覧者情報を取得する。閲覧者情報は、例えば、閲覧装置のユーザの氏名を示す情報であり、記憶部２２に記憶されている。制御部２１は、記憶部２２から閲覧者情報を読み出す。
【００３４】
判定手段２４０は、属性情報に対応する被写体と閲覧者情報に対応する閲覧者との関係を示すデータベースを用いて被写体と閲覧者との関係を判定する。データベースは、記憶部２２に記憶されている。データベースには、例えば、閲覧者の家系図を表す情報が格納されている。この情報には、閲覧者と閲覧者の親族の氏名、親族間の親子、兄弟、夫婦などの関係を表す情報が含まれる。画像から抽出された属性情報に該当する事項と、閲覧者情報に該当する事項がともにデータベースに格納されていた場合、画像の被写体は閲覧者の親族である可能性が高い。制御部２１は、属性情報と閲覧者情報をキーワードとしてデータベースを検索し、閲覧者に対する被写体の続柄を判定する。
【００３５】
変換手段２５０は、判定された関係に基づいて属性情報を変換する。例えば、閲覧者に対する被写体の続柄が判定されたならば、制御部２１は、属性情報として抽出された被写体の氏名を続柄に変更する。
【００３６】
表示手段２６０は、変換手段２５０により変換された属性情報と画像とを表示する。例えば、制御部２１は、撮像した画像を表示部２４に表示させるとともに、この画像における電子透かしが埋め込まれていた位置、又はその近傍に、変換された属性情報を表示させる。
【００３７】
図７は、情報変換処理の流れ図である。閲覧装置２０には、情報変換処理の手順を記述したプログラムがインストールされており、制御部２１がこのプログラムを実行することにより情報変換装置２００の各機能が実現され、情報変換処理が実行される。
【００３８】
閲覧装置２０を使用するユーザとして想定されるのは、例えば、被写体である人物の親族である。
図８は、被写体である人物の家系図である。以下の例では、被写体である富士太郎の曾孫である富士花子が閲覧装置２０のユーザである。富士花子は、印刷装置１０で印刷された写真（図４（ｃ））を保有しているが、曽祖父の顔を憶えていないため、この写真の被写体が誰であるのかを知らない。
【００３９】
最初に、撮像手段２１０が、写真を撮像する（ステップＳ２０１）。具体的には、ユーザが、閲覧装置２０を起動して写真を撮像する。撮像手段２１０は、写真の画像を表す画像データを生成する。次に、抽出手段２２０が、画像に付加された電子透かしを抽出し、電子透かしを復号して属性情報を復元する（ステップＳ２０２）。属性情報として、前述のテキスト「富士太郎」、「富士太郎が作ったＸＸＸ」が復元される。次に、取得手段２３０が、閲覧者情報を取得する（ステップＳ２０３）。閲覧者情報として、「富士花子」が取得される。
【００４０】
次に、判定手段２４０が、データベースと用いて被写体と閲覧者との関係を判定する処理を実行する（ステップＳ２０４）。属性情報「富士太郎」と閲覧者情報「富士花子」をデータベースで検索すると、被写体が閲覧者の曽祖父であると判定される。被写体と閲覧者との関係が判定されたならば（ステップＳ２０５：ＹＥＳ）、変換手段２５０が、判定された関係に基づいて属性情報を変換する（ステップＳ２０６）。具体的には、被写体と閲覧者との関係と、その関係を表す用語とを対応付けたテーブルが記憶部２２に記憶されており、このテーブルを用いて属性情報が変換される。例えば、閲覧者に対する被写体の続柄が曽祖父である場合、曽祖父を表す用語として「ひいおじいちゃん」が対応付けられており、属性情報「富士太郎」が「ひいおじいちゃん」に変換される。また、属性情報「富士太郎が作ったＸＸＸ」が「ひいおじいちゃんが作ったＸＸＸ」に変換される。なお、被写体と閲覧者との関係が判定されなかったならば（ステップＳ２０５：ＮＯ）、ステップＳ２０７の処理に進む。
【００４１】
次に、表示手段２６０は、属性情報を配置した画像を表示する（ステップＳ２０７）。具体的には、電子透かしが埋め込まれていた位置に属性情報が配置されてもよいが、被写体の視認性を低下させないために、被写体に重ならない位置に属性情報を配置するのが望ましい。
【００４２】
図９（ａ）は、属性情報を配置した画像を示す図である。この例は、電子透かしが埋め込まれていた位置よりも画像の中心から離れる方向に決められた距離だけ離れた位置に、変換された属性情報を表示させた例である。
【００４３】
上記の例では、ユーザが曽祖父の顔を憶えていないため、変換された属性情報が表示されるまで、ユーザは被写体が誰であるのかを知らない。例えば、生前、曽祖父に会ったことがあるが、その顔を憶えていない、あるいは、曽祖父は存命であるが疎遠なため顔を憶えていない、あるいは、そもそも曽祖父に会ったことがない、などの理由が考えられる。このような場合に備えて、例えば、手書きや電子的な手段を用いて被写体の名前などの属性情報を写真に付加することが考えられる。しかし、上記のような時間的又は空間的な隔たりがある場合、名前から被写体との関係が判別できるとは限らない。このような場合であっても、本実施形態によれば、閲覧者と被写体との関係を表す情報が閲覧者に提供される。
【００４４】
（請求項２）
上記の実施形態は以下のように変形されてもよい。
［変形例１］
閲覧者情報の入力を受け付け、受け付けられた閲覧者情報を取得するように、情報変換装置２００が構成されてもよい。具体的には、前述のステップＳ２０３において、閲覧者情報を入力するための画面を表示させ、この画面で閲覧者情報の入力を受け付ける。例えば、閲覧者情報として「富士一郎」が入力されたとすると、富士太郎は富士一郎の祖父であるから、属性情報「富士太郎」が「おじいちゃん」に変換される（図９（ｂ）参照）。
【００４５】
［変形例２］
複数の画像から同じ被写体が抽出された場合に、属性情報を複数の画像の各々に付加するように、情報付加装置１００が構成されてもよい。具体的には、複数の画像から抽出された被写体の特徴量を比較し、特徴量の差が閾値未満ならば同じ被写体であると判定し、同じ被写体を含む画像に共通の属性情報を付加するように構成されてもよい。
【００４６】
［変形例３］
情報付加装置１００が、属性情報をメタデータとして画像データに付加してもよい。例えば、Ｅｘｉｆ（Exchangeable image file format）の規格で定められたメタデータとして属性情報が記述されてもよい。この場合、被写体との対応関係を表すために、情報付加装置１００が、画像の領域における被写体の位置を示す位置情報と属性情報とを関連付けて記述する。情報変換装置２００は、変換した属性情報を位置情報が示す位置に配置した画像を表示させる。
【００４７】
［変形例４］
情報付加装置１００が、可視の属性情報を画像に付加してもよい。例えば、図４（ｃ）は、属性情報を示す電子透かしを埋め込んだ例として示したが（電子透かしは、実際には人間の目では知覚されない）、情報付加装置１００がこの属性情報を可視の文字列として画像に付加してもよい。この場合、情報変換装置２００は、例えば光学文字認識の画像処理により画像から属性情報を抽出する。
【００４８】
［変形例５］
上記実施形態では、被写体と閲覧者との関係を示すデータベースの例として家系図を表す情報を格納したデータベースを例示したが、これ以外にも様々なデータベースが想定される。例えば、学校の卒業者名簿の情報を格納したデータベースを想定すると、被写体の属性情報（例えば、氏名）と閲覧者情報（例えば、氏名）をデータベースで検索し、被写体が所属した学級と閲覧者が所属した学級が一致したならば、被写体の属性情報を「同級生」に変換するという構成が考えられる。
【００４９】
例えば、日本語の単語と同じ意味を有する様々な外国語の単語（例えば、英語、フランス語、ドイツ語の単語）とを対応付けたデータベースを想定する。被写体の属性情報として被写体を表す日本語の名詞が付加されているとする。閲覧者情報として、閲覧者の母語を示す情報（例えば、英語）を情報変換装置２００に入力すると、被写体を表す日本語の単語に該当する英語の単語が特定され、属性情報が英語の単語に変換されるという構成が考えられる。
【００５０】
［変形例６］
上記実施形態では、情報付加装置１００の機能が印刷装置１０に備えられた例を示したが、情報付加装置１００が印刷装置１０と分離された装置として構成されてもよい。例えば、情報付加装置１００の機能を備えたサーバを設け、印刷装置１０からサーバに画像と属性情報を送信し、サーバが情報付加処理を実行して画像に属性情報を付加し、属性情報を付加した画像を印刷装置１０に送信する。あるいは、ユーザが使用するパーソナルコンピュータ（以下、ＰＣ）に情報付加装置１００の機能を備えさせ、デジタルカメラで撮影した画像と属性情報をＰＣに入力し、ＰＣが情報付加処理を実行して画像に属性情報を付加し、属性情報を付加した画像を印刷装置１０に送信する。
【００５１】
［変形例７］
上記実施形態では、情報変換装置２００の機能が閲覧装置２０に備えられた例を示したが、情報変換装置２００が閲覧装置２０と分離された装置として構成されてもよい。例えば、情報変換装置２００の機能を備えたサーバを設け、閲覧装置２０で撮影した画像と閲覧者情報をサーバに送信し、サーバが情報変換処理を実行して属性情報を変換し、変換した属性情報を付加した画像を閲覧装置２０に送信する。
【００５２】
［変形例８］
被写体と閲覧者との関係を示すデータベースは情報変換装置２００と分離されてもよい。例えば、データベースをサーバに格納しておき、情報変換装置２００から属性情報と閲覧者情報をサーバに送信してデータベースを検索してもよい。
【００５３】
［変形例９］
情報変換装置２００が、変換前の属性情報と変換後の属性情報の両方を付加した画像を表示させてもよい。
【００５４】
［変形例１０］
コンピュータに上記の処理を実行させるためのプログラムは、例えば、光記録媒体、半導体メモリなどのコンピュータに読取り可能な記録媒体に持続的に記憶された状態で提供されてもよいし、インターネット等の通信ネットワークを介して提供されてもよい。本発明に係るプログラムが記録媒体に持続的に記憶された状態で提供される場合、コンピュータが当該プログラムを記録媒体から読み取り用いる。また、本発明に係るプログラムが通信ネットワークを介して提供される場合、コンピュータが当該プログラムを配信元の装置から受信して用いる。
【符号の説明】
【００５５】
１０…印刷装置、１１…制御部、１２…記憶部、１３…通信部、１４…表示部、１５…操作部、１６…読取部、１７…印刷部、１８…入出力部、２０…閲覧装置、２１…制御部、２２…記憶部、２３…通信部、２４…表示部、２５…操作部、２６…撮像部、１００…情報付加装置、１１０…抽出手段、１２０…表示手段、１３０…受付手段、１４０…付加手段、２００…情報変換装置、２１０…撮像手段、２２０…抽出手段、２３０…取得手段、２４０…判定手段、２５０…変換手段、２６０…表示手段
【図１】
2018160176.tif 000003
【図２】
2018160176.tif 000004
【図３】
2018160176.tif 000005
【図４】
2018160176.tif 000006
【図５】
2018160176.tif 000007
【図６】
2018160176.tif 000008
【図７】
2018160176.tif 000009
【図８】
2018160176.tif 000010
【図９】
2018160176.tif 000011